(57)【要約】【課題】浴衣用布帛に絵羽柄を表現するにあたり、フラットスクリーンを用いて容易にかつ低コストで捺染できる方法を提供する。【解決手段】一列に並んだ複数のフラットスクリーンを用いて絵羽柄を有する浴衣用布帛を捺染する方法であって、該複数のフラットスクリーンを隣接する複数の群に区分すると共に各群を絵羽柄単位に対応させ、さらに各群において布帛移動方向に対し共通する位置に配されたフラットスクリーンを布帛の同一所定部分に対応させて布帛を順次捺染する、絵羽柄を有する浴衣用布帛の捺染方法。【選択図】  図１
2008255502.tif 000002
【特許請求の範囲】
【請求項１】
一列に並んだ複数のフラットスクリーンを用いて絵羽柄を有する浴衣用布帛を捺染する方法であって、該複数のフラットスクリーンを隣接する複数の群に区分すると共に各群を絵羽柄単位に対応させ、さらに各群において布帛移動方向に対し共通する位置に配されたフラットスクリーンを布帛の同一所定部分に対応させて布帛を順次捺染することを特徴とする、絵羽柄を有する浴衣用布帛の捺染方法。
【発明の詳細な説明】
【技術分野】
【０００１】
本発明は、絵羽柄を有する浴衣用布帛の捺染方法に関する。
【背景技術】
【０００２】
従来から、浴衣用布帛を色付けするにあたり、捺染手段が採用されている。例えば、特許文献１には、布帛表面に捺染用糊料と防染剤との混合物からなる糊剤を所定面積ごとに任意の模様に型付けしながら折り重ねていく捺染方法が開示されている。
【０００３】
この方法によれば、ボカシ調を有する多彩で深遠的な柄模様を表現することができる。
【特許文献１】特開平７−１５０４８６号公報
【発明の開示】
【発明が解決しようとする課題】
【０００４】
しかしながら、従来の浴衣用布帛の捺染方法は、総柄（単調な繰り返しを有する柄）の捺染には好適であるが、絵羽柄（一枚物の柄）には適さないという問題があった。したがって、絵羽柄を表現するには、手捺染や手書きといった、熟練を要しコスト的にも不利な手段を採用しなければならないのが実情であった。
【０００５】
本発明は、上記欠点を解消するものであり、浴衣用布帛に絵羽柄を表現するにあたり、フラットスクリーンを用いて容易にかつ低コストで捺染できる方法を提供することを目的とするものである。
【課題を解決するための手段】
【０００６】
本発明者らは、このような課題を解決するために鋭意研究の結果、フラットスクリーンを複数の群に区分けし、それぞれの群において特定位置に配されたフラットスクリーン同士を用いて布帛の同一所定部分を捺染すれば、任意の絵羽柄が容易に表現しうることを見出し、この知見に基づいて本発明をなすに至った。
【０００７】
すなわち、本発明は、一列に並んだ複数のフラットスクリーンを用いて絵羽柄を有する浴衣用布帛を捺染する方法であって、該複数のフラットスクリーンを隣接する複数の群に区分すると共に各群を絵羽柄単位に対応させ、さらに各群において布帛移動方向に対し共通する位置に配されたフラットスクリーンを布帛の同一所定部分に対応させて布帛を順次捺染することを特徴とする、絵羽柄を有する浴衣用布帛の捺染方法を要旨とするものである。
【発明の効果】
【０００８】
本発明によれば、浴衣用布帛に任意の絵羽柄を捺染することができる。本発明においては、フラットスクリーンを用いるため、容易かつ低コストで上記絵羽柄を表現することができる。
【発明を実施するための最良の形態】
【０００９】
本発明は、一列に並んだ複数のフラットスクリーンを用いて絵羽柄を有する浴衣用布帛を捺染する方法である。
【００１０】
フラットスクリーンとしては、市販のものであれば特に限定されず、例えば、東伸工業社製のフラットスクリーン型捺染機などが使用できる。また、フラットスクリーンの数としては、特に限定されるものでなく、所望の絵羽柄に応じて適宜設定すればよい。
【００１１】
また、本発明では、複数のフラットスクリーンを隣接する複数の群に区分すると共に各群を絵羽柄単位に対応させ、さらに各群において布帛移動方向に対し共通する位置に配されたフラットスクリーンを布帛の同一所定部分に対応させて布帛を順次捺染する。本発明では、捺染の際に一般に捺染糊を用いるが、捺染糊の色彩としては任意の色彩が採用しうる。また、色彩の数としても所望の絵羽柄に応じて適宜設定しうる。
【００１２】
例えば、図１のように６枚のフラットスクリーンを用いた場合、まず、フラットスクリーンを、フラットスクリーン１〜３とフラットスクリーン４〜６との隣接する２つの群に区分する。このとき、各群を絵羽柄単位、すなわち１つの絵羽柄に対応させる。なお、絵羽柄一柄分で浴衣一着分の大きさに相当する。そして、各群において布帛移動方向に対し共通する位置に配されたフラットスクリーンを布帛の同一所定部分に対応させて布帛を順次捺染する。
【００１３】
ここで、２色で３つ柄からなる絵羽柄を捺染する場合につき、図１を用いて説明する。まず６枚のフラットスクリーンを３枚ずつに分ける。布帛における絵羽柄単位の大きさはフラットスクリーン３枚分に相当し、浴衣一着分の大きさは、このフラットスクリーン３枚分に相当する。絵羽柄単位は柄１〜３から構成され、フラットスクリーン１〜３で色彩Ａによる絵羽柄を捺染し、フラットスクリーン４〜６で色彩Ｂによる同一模様の絵羽柄を捺染する。すなわち、フラットスクリーン１、４で柄１を、フラットスクリーン２、５で柄２を、フラットスクリーン３、６で柄３を捺染する。
【００１４】
さらに、具体的な捺染手順につき、同じく図１を用いて説明する。布帛の捺染は連続的に行うのが好ましい。図１のように、布帛の移動方向が右から左へ進行するものである場合、例えば、下記（１）、（２）のような手順があげられる。
【００１５】
（１）まず全てのフラットスクリーンを用いて捺染した後、フラットスクリーン１〜３で捺染された部分がフラットスクリーン４〜６の位置まで移動してきた際に再び全てのフラットスクリーンを用いて捺染する。そして、フラットスクリーン１〜３で捺染された部分がフラットスクリーン４〜６の位置に到達するまで移動させる。以上の操作を繰り返して行う手順。
【００１６】
（２）まずフラットスクリーン３、６で捺染した後、捺染された部分が隣のフラットスクリーンの位置まで移動してきた際にフラットスクリーン２、５で捺染し、さらに同じく捺染部分が隣のフラットスクリーンまで移動した際にフラットスクリーン１、４で捺染する。そして、この捺染部分が隣のフラットスクリーンの位置に到達するまで移動させる。以上の操作を繰り返して行う手順。
【００１７】
なお、本発明においては、捺染機の構造上、（１）の手順を採用することが好ましい。
【００１８】
以上のように、本発明の方法を採用することにより、浴衣用布帛に任意の絵羽柄を容易かつ低コストで捺染することができる。なお、本発明に採用しうる布帛の形態としては、特に限定されるものでないが、一般的に織物が好ましい。また、布帛を構成する繊維についても特に限定されるものでないが、一般的に天然繊維又は合成繊維が好ましい。
【実施例】
【００１９】
経緯糸の双方に綿３０番手を用いて、経糸密度９０本／２．５４ｃｍ、緯糸密度７２本／２．５４ｃｍの平織物を製織し、整理加工として、毛焼、糊抜き、精練、漂白、マーセライズ処理及びヒートセットし、布帛を得た。
【００２０】
一方、捺染に用いる色剤（捺染糊）として、橙色捺染糊及び紺色捺染糊を準備した。捺染糊の作製方法としては、下記手順に準じた。
【００２１】
〈捺染元糊の作製〉
まず、捺染元糊を作製した。すなわち、容量３００Ｌの容器に軟水を１０．００Ｌ注水し、次いで下記の各種添加剤、助剤及び糊剤などを順次当該軟水へ添加し、１日放置した後、濃度０．４ｋｇ／Ｌの重炭酸ナトリウム水溶液を３０．００Ｌ添加し、９０分間攪拌することにより、捺染元糊を作製した。
【００２２】
（１）金属封鎖剤（ミテジマ化学（株）製、ヘキサメタリン酸ナトリウム）を３．７５ｋｇ添加した。
（２）還元防止剤（明星化学（株）製、ＭＳリキッド）を５．１０Ｌ添加した。
（３）糊剤（第一工業製薬（株）製、レピトールＧ−ＮＥＷ）を０．７５ｋｇ添加した。
（４）ターペン（エクソンモービル（有）製、ベガゾール３０４０）を５７．００Ｌ添加した。
（５）消泡剤（信越化学工業（株）製、シリコンＫＭ６８−２Ｆ）を０．２４Ｌ添加した。
（６）糊剤（（株）ミキカ製、ＡＬＧＩＴＥＸ）１０．５０ｋｇと軟水１０．００Ｌとをホモミキサーにて攪拌しつつ同時に添加した。
【００２３】
〈橙色捺染糊の作製〉
軟水１０．００Ｌにカヤシオン・スカーレットＰ−ＮＡ３３％リキッド（日本化薬（株）製）０．４０Ｌと、シバクロン・オレンジＰ−４Ｒグラニュー４０％リキッド（長瀬カラーケミカル（株）製）０．９０Ｌとを添加した後、上記捺染元糊５５．００Ｌと軟水３３．００Ｌとを添加することにより、橙色捺染糊を作製した。この捺染糊の粘度は、８０００ｃｐｃであった。
【００２４】
〈紺色捺染糊〉
軟水１０．００Ｌにシバクロン・レッドＰ−ＢＮ３３％リキッド（長瀬カラーケミカル（株）製）０．１７Ｌと、シバクロン・ブルーＰ−３Ｒ４０％リキッド（長瀬カラーケミカル（株）製）１．３０Ｌと、シバクロン・ブラックＰ−ＳＧ４０％リキッド（長瀬カラーケミカル（株）製）０．７０Ｌとを添加した後、上記捺染元糊５５．００Ｌと軟水３３．００Ｌとを添加することにより、紺色捺染糊を作製した。この捺染糊の粘度は、８０００ｃｐｃであった。
【００２５】
次に、フラットスクリーン型捺染機（東伸工業（株）製）を用いてに上記布帛を上記２色の捺染糊で捺染した。ここで、使用したフラットスクリーン型捺染機は、図１のように６枚のフラットスクリーンが一列に並んだ構造を有おり、当該フラットスクリーンは上流側３枚の群（図１の右半分）と下流側３枚のおり群（図１の左半分）とに区分され、各郡は同一の模様を捺染しうるものである。フラットスクリーンは、大きさが巾方向に１６０ｃｍ、送り方向に（布帛移動方向）１１５ｃｍであり、型枠が１３５０メッシュである。採用した絵羽柄は図１のように３つ柄からなり、絵羽柄の大きさはフラットスクリーン３枚分に相当する、巾１６０ｃｍ、長さ３４５ｃｍである。そして、上記捺染糊のうち、橙色捺染糊をフラットスクリーンの上流側３枚に、紺色捺染糊を同下流側３枚に適用した。
【００２６】
捺染の手順としては、まず全てのフラットスクリーンを用いて捺染した。次に布帛がフラットスクリーン３枚分に相当する距離を速度８ｍ／分で移動した後、再び全てのフラットスクリーンを用いて捺染した。そして、上記と同じ速度で布帛をフラットスクリーン３枚分移動させた。以上の操作を繰り返して行うことにより、布帛を捺染した。
【００２７】
その後、捺染された布帛を１１４℃で５分間乾燥し、ループスチーマー（アリオリ社製）を用いて１０４℃で８分間染料固着処理した。そして、ソーピング及び樹脂加工を行って浴衣用布帛を得た。得られた布帛は、巾１６０ｃｍ、長さ３４５ｃｍの絵羽柄単位を有する布帛であった。
【００２８】
次に、この布帛を図２に示す裁断図に準じて裁断し、浴衣を作製した。得られた浴衣は、絵羽柄を有し、風合いにも優れていた。
【図面の簡単な説明】
【００２９】
【図１】本発明に用いうるフラットスクリーン型捺染機におけるフラットスクリーンの配列の一例を示す概略図である。
【図２】本発明の方法により得られる浴衣用布帛の裁断箇所の一例を示す裁断概略図である。
【符号の説明】
【００３０】
１〜６  フラットスクリーン
【図１】
2008255502.tif 000003
【図２】
2008255502.tif 000004